(57)【要約】【課題】マンホール用鉄蓋に形成された開口を閉塞する部材と、錠本体とのがたつきを抑制できる新規なマンホール用鉄蓋の施錠装置を提案する。【解決手段】受枠３に形成された一方の掛合部２ａに掛合する他方の掛合部１２と、鉄蓋３の軸受部３ｆ，３ｇに支承される揺動軸１３，１４と、これら揺動軸１３，１４の長さ方向と直角な方向に形成されたガイド穴１１ａとを有する錠本体４と、ガイド穴１１ａ内で上下移動自在に配置されてなる中空軸部１６と、この中空軸部１６の上端に形成されバール３ｂ穴を下方から閉塞する閉塞蓋部１７とを有する閉塞部材５と、この閉塞部材５の中空軸部１６内に挿入され、該閉塞部材５の閉塞蓋部１７が鉄蓋３のバール３ｂ穴を閉塞する方向に付勢する閉塞蓋付勢部材６とを備え、ガイド穴１１ａは、他方の掛合部１２の先端よりも上方位置から該他方の掛合部１２の基端近傍位置に亘る長さとされてなる構成とした。【選択図】        図５
2008101405.tif 000002
【特許請求の範囲】
【請求項１】
内側に開口が形成されてなるとともに内周には一方の掛合部が成形された受枠と、この受枠に形成された開口を閉塞し、バールの先端が挿入されるバール穴が形成されてなるとともに、裏面には左右一対の軸受部が形成されたマンホール用鉄蓋とを施錠するマンホール用鉄蓋の施錠装置であって、
上記受枠に形成された一方の掛合部に掛合する他方の掛合部と、上記鉄蓋の軸受部に支承される左右の揺動軸と、これら左右の揺動軸の長さ方向と直角な方向に形成されたガイド穴と、を有する錠本体と、
上記ガイド穴内で上下移動自在に配置されてなる中空軸部と、この中空軸部の上端に形成され上記バール穴を下方から閉塞する閉塞蓋部とを有する閉塞部材と、
この閉塞部材の上記中空軸部内に挿入され、該閉塞部材の閉塞蓋部が上記鉄蓋のバール穴を閉塞する方向に付勢する閉塞蓋付勢部材と、を備え、
上記ガイド穴は、上記他方の掛合部の先端よりも上方位置から該他方の掛合部の基端近傍位置に亘る長さとされてなることを特徴とするマンホール用鉄蓋の施錠装置。
【発明の詳細な説明】
【技術分野】
【０００１】
本発明は、マンホール用鉄蓋の施錠装置に関し、さらに詳しくは、受枠上に設置されたマンホール用の鉄蓋を受枠に施錠するマンホール用鉄蓋の施錠装置に関するものである。
【背景技術】
【０００２】
マンホール用鉄蓋（以下、鉄蓋という。）は、地下構造物の上端の地表部に設置された受枠の内周により支持され、この鉄蓋には、当該鉄蓋を開閉するための蝶番機構を設けて受枠に連結するとともに、当該鉄蓋を受枠に施錠するためのマンホール用鉄蓋の施錠装置（以下、施錠装置という。）が設置されている。この施錠装置としては、受枠の錠止突起に掛合する鉤状突起を備えて鉄蓋の開蓋部に設けられ、バール等を用いて解錠するものであって、例えば、鉄蓋の開口部に設置される施錠鉤と、鉄蓋の開口部を閉塞する閉塞板を備えた地下構造用蓋の施錠構造（特許文献１参照）が知られている。
【０００３】
上記特許文献１の施錠構造ないし施錠装置は、受枠２の内周面に形成された錠止突起２ｃに掛合する係合突起７ａと、鉄蓋３の裏面に形成された軸穴６ｃ，６ｄに揺動自在に支持される支持軸７ｆ，７ｆと、軸孔７ｈとを備えた施錠鉤７と、上記軸孔７ｈに挿通された支持軸８ｄ及びこの支持軸８ｄの上端に形成され鉄蓋３に形成された開口部３ａを下側から閉塞する閉塞部８ｂを備えた閉塞板８と、この閉塞板８を上方に付勢するコイルスプリング９及びこのコイルスプリング９を外側から覆うブーツ１０とを備えている。
【０００４】
そして、上記閉塞板８の両側には凸部８ｈが形成されてなる一方、上記施錠鉤７には、この凸部８ｈをガイドする傾斜面７ｉ，７ｉが形成されている。したがって、バールの先端により、上記開口部３ａを閉塞する閉塞部８ｂの上面を下方に押圧すると、上記閉塞板８全体が、上記傾斜面７ｉ，７ｉにガイドされながら受枠２から離間する方向に移動する。この特許文献１に係る施錠構造では、上述した構成を採用することにより、施錠鉤７全体の回転に伴う閉塞部８ｂの移動軌跡を変更し、該閉塞部８ｂと受枠２との間に隙間が形成されることを防止しようとするものである。
【特許文献１】特許第３６１６９２０号公報
【発明の開示】
【発明が解決しようとする課題】
【０００５】
ところで、上記特許文献１に係る施錠構造ないし施錠装置では、上述したように、バールの先端により、上記開口部３ａを閉塞する閉塞部８ｂの上面を下方に押圧すると、上記閉塞板８全体が、上記傾斜面７ｉ，７ｉにガイドされながら受枠２から離間する方向に移動する構成を採用していることから、こうした閉塞板８全体の移動を確保するためには、軸孔７ｈと、この軸孔７ｈに挿通された支持軸８ｄとの間には（この特許文献１の図５，図６，図７に示されたものとは異なり）、必然的に広いクリアランスが必要となる。したがって、この施錠構造ないし施錠装置では、上記施錠鉤７と閉塞板８とのがたつきは避けることができず、この結果、閉塞部８ｂにより開口部３ａが確実に閉塞されない場合が多い。
【０００６】
そこで、本発明は、上述した従来のマンホール用鉄蓋の施錠構造ないし施錠装置が有する課題を解決するために提案されたものであって、マンホール用鉄蓋に形成された開口を閉塞する部材と、施錠鉤ないし錠本体とのがたつきを抑制し、閉塞板（閉塞蓋）による鉄蓋の開口部の閉塞が確実にできる新規なマンホール用鉄蓋の施錠装置を提案することを目的とするものである。
【課題を解決するための手段】
【０００７】
上述した目的を達成するため、本発明（請求項１記載の発明）に係るマンホール用鉄蓋の施錠装置は、内側に開口が形成されてなるとともに内周には一方の掛合部が成形された受枠と、この受枠に形成された開口を閉塞し、バールの先端が挿入されるバール穴が形成されてなるとともに、裏面には左右一対の軸受部が形成されたマンホール用鉄蓋とを施錠するマンホール用鉄蓋の施錠装置であって、上記受枠に形成された一方の掛合部に掛合する他方の掛合部と、上記鉄蓋の軸受部に支承される左右の揺動軸と、これら左右の揺動軸の長さ方向と直角な方向に形成されたガイド穴と、を有する錠本体と、上記ガイド穴内で上下移動自在に配置されてなる中空軸部と、この中空軸部の上端に形成され上記バール穴を下方から閉塞する閉塞蓋部とを有する閉塞部材と、この閉塞部材の上記中空軸部内に挿入され、該閉塞部材の閉塞蓋部が上記鉄蓋のバール穴を閉塞する方向に付勢する閉塞蓋付勢部材と、を備え、上記ガイド穴は、上記他方の掛合部の先端よりも上方位置から該他方の掛合部の基端近傍位置に亘る長さとされてなることを特徴とするものである。
【０００８】
この発明では、閉塞部材がガイドされるガイド穴は、上記他方の掛合部の先端よりも上方位置から該他方の掛合部の基端近傍位置に亘る長さとされてなる、すなわちガイド穴の有効長（上下移動の際に中空軸部が接するガイド穴の長さ）が長く構成されていることから、錠本体と閉塞部材との間におけるがたつきを有効に解消することができ、ひいては、閉塞蓋部により確実にバール穴を閉塞することができる。すなわち、錠本体と閉塞部材とのがたつきが大きいとバール穴に閉塞蓋部が係合せず、確実な閉塞ができないことがある。また、この発明によれば、引用文献１に係る施錠構造を構成する傾斜面が必要とされない結果、バールで閉塞部材を下方に押圧操作する際に、大きな抵抗が掛かることがなく、作業者の操作性をより高めることができる。
【発明の効果】
【０００９】
上記発明では、錠本体と閉塞部材との間におけるがたつきを有効に解消することができ、ひいては、閉塞蓋部により確実にバール穴を閉塞することができるので、閉塞蓋部から石、砂、礫、雨水やその他の異物が入り込まないように封止できるとともに、品質の向上を図ることができる。また、バールで閉塞部材を下方に押圧操作する際に、大きな抵抗が掛かることがなく、作業者の操作性をより高めることができるので、作業性の向上を図ることができる。
【発明を実施するための最良の形態】
【００１０】
以下、本発明を実施するための最良の形態を、図面を参照しながら詳細に説明する。この実施の形態に係るマンホール用鉄蓋の施錠装置（以下、原則として施錠装置という）１は、図５に示す受枠２上に設置されたマンホール用の鉄蓋３を該受枠２に施錠する装置であって、本発明の一方の掛合部である受枠２の錠止突起２ａに掛合する鉤状突起１２（本発明を構成する他方の掛合部）を有し、揺動軸１３，１４により鉄蓋３の図５又は図９に示す軸受部３ｆ，３ｇに支承される錠本体４と、この錠本体４のガイド穴１１ａ内で上下移動し上端に横設された閉塞蓋部１７により鉄蓋３の開口周縁のテーパ状でなる下向き傾斜面３ｃを閉塞する閉塞部材５と、この閉塞部材５内に挿入され当該閉塞部材５の閉塞蓋部１７を鉄蓋３の下向き傾斜面３ｃに付勢する閉塞蓋付勢部材６等を備えて構成されている。
【００１１】
まず、施錠装置１に備える各要素の形状的形態について説明する。鉄蓋３に支承される錠本体４は、図１又は図５に示すように、錠本体４の主体をなす錠胴体１１の側面であって受枠２の錠止突起２ａ側の側面には、施錠装置１の解錠をせずに受枠２から鉄蓋３を不当に開蓋（開放）する際に、この錠止突起２ａと掛合して不当な開蓋を防止する幅広鉤状に形成された鉤状突起１２が突設され、図２（ａ）に示す錠胴体１１の側面１１ｆ，１１ｇの上端部には、鉤状突起１２の幅方向と略平行な軸線上に一対の揺動軸１３，１４が突設されている。
【００１２】
これら揺動軸１３，１４を挟む中央部に形成された凹部１１ｈの中央部で錠胴体１１の中心部には、図１又は図２に示すように、揺動軸１３，１４の軸線と交差する軸線上に後述する閉塞部材５の中空軸部１６が挿入されるガイド穴１１ａが形成され、図３に示すように、このガイド穴１１ａと交差する中途に後述する位置決めボルト７が挿通されるボルト穴１１ｂ，１１ｃが形成され、これらボルト穴１１ｂ，１１ｃの両側には座ぐり１１ｄ，１１ｅが形成されている。そして、錠本体４は、一対の揺動軸１３，１４が、図５又は図９に示す鉄蓋３の軸承部３ｆ，３ｇに支承されて、後述する揺動をする。
【００１３】
つぎに鉄蓋３を閉塞する閉塞部材５は、図１又は図２に示すように、錠本体４のガイド穴１１ａ内に挿入されて上下移動する筒状の中空軸部１６と、この中空軸部１６の上端に横設され鉄蓋３の後述する下向き傾斜面３ｃに嵌合する閉塞蓋部１７とで構成される。これらのうち、中空軸部１６は、閉塞蓋部１７の図２（ｂ）に示す右側寄り位置で、閉塞蓋部１７の鉛直線に対して図示の反時計方向へやや傾斜しており、その外径は当該中空軸部１６が、錠本体４のガイド穴１１ａ内で上下移動自在な外径に形成されるとともに、この中空軸部１６の内径である中空穴１６ｂは、この中空穴１６ｂ内に挿入される後述する閉塞蓋付勢部材６が伸縮移動できるように形成されている。
【００１４】
また、この中空軸部１６の壁部下方寄りには、当該閉塞部材５の上下（軸方向）の移動端位置を規制する図３に示す長穴１６ａ，１６ａが、中空軸部１６の軸心を挟んで対向して形成されており、その長穴１６ａ，１６ａの穴幅は、後述する位置決めボルト７が挿通された状態（図３参照）において、当該閉塞部材５が上下移動できるように形成されている。
【００１５】
また、この閉塞部材５の閉塞蓋部１７は、図２（ｂ）に示す左側面を除く側面が、鉄蓋３の開口３ｂの下方に形成されたテーパ状の下向き傾斜面３ｃ（図５参照）と嵌合可能なテーパ状の上向き傾斜面１７ａに形成されている。そして、閉塞部材５は、後述する閉塞蓋付勢部材６により上方へ付勢され、その閉塞蓋部１７の上向き傾斜面１７ａが、鉄蓋３の下向き傾斜面３ｃに嵌合して、鉄蓋３の開口３ｂを閉塞する。
【００１６】
つぎに閉塞蓋部１７を鉄蓋３に付勢する閉塞蓋付勢部材６は、図２（ｂ）に示すように、渦巻状の圧縮コイルばねに形成されて、中空軸部１６の中空穴１６ｂ内に挿入され、上端が中空穴１６ｂの上端に当接するとともに、下端は後述する位置決めボルト７に当接されている。そして、この閉塞蓋付勢部材６の自由長は、閉塞部材５の中空軸部１６が錠胴体１１のガイド穴１１ａ内で上昇し、中空軸部１６の長穴１６ａ下端が位置決めボルト７に当接する閉塞部材５の上昇端位置まで当該閉塞部材５を上方へ付勢可能な自由長に形成されている。
【００１７】
つぎに位置決めボルト７は、図３に示すように、頭部（符号は省略）から延出された中空軸部１６の長穴１６ａ，１６ａ内径よりも小径でなる胴部の先端部に雄ねじ（符号は省略）が螺刻されている。そして、錠胴体１１の一方の座ぐり１１ｄ側から一方の軸穴１１ｂ、中空軸部１６の長穴１６ａ，１６ａ及び錠胴体１１の他方の座ぐり１１ｅ側の他方の軸穴１１ｃに挿通され、その先端部の雄ねじにはナット８が螺合され、当該位置決めボルト７が錠胴体１１に固定される。この状態において、中空軸部１６は、その長穴１６ａ，１６ａの下端が位置決めボルト７に当接する上昇端位置と、長穴１６ａ，１６ａの上端が位置決めボルト７に当接する下降端位置との間で上下移動可能である。
【００１８】
つぎに錠本体付勢部材９は、図１に示すように、一方の揺動軸１３に挿入可能な一方のコイル部９ａと、他方の揺動軸１４に挿入可能な他方のコイル部９ｂとが対向して設けられ、一方のコイル部９ａには、捩りばねを構成する上方のばね脚９ｃと下方のばね脚９ｆとがそれぞれ接線方向に延出され、また、他方のコイル部９ｂには、捩りばねを構成する上方のばね脚９ｄと下方のばね脚９ｇとがそれぞれ接線方向に延出されている。これらのうち下方のばね脚９ｆと９ｇとは、コイル部９ａ，９ｂの軸心と平行な連接部９ｈにより連接されている。
【００１９】
このように形成された錠本体付勢部材９は、コイル部９ａ，９ｂが、図２（ａ）又は図３に示す錠本体４の揺動軸１３，１４に挿入され、下方のばね脚９ｆ，９ｇを連接する連接部９ｈが、図２（ｂ）に示す錠胴体１１の側面の鉤状突起１２と反対側の側面に当接され、上方のばね脚９ｃ，９が、図６に示す鉄蓋３の開口縁部下面３ｄに当接されて、コイル部９ａ，９ｂの捩りばね力により錠本体４を受枠２の錠止突起２ａ側に付勢する。
【００２０】
次に、上記の各要素でなる組付け体としてのマンホール用鉄蓋の施錠装置１に係る実施の形態ついて説明する。錠本体４には図２（ａ）又は図３に示すように、その錠胴体１１のガイド穴１１ａには、中空穴１６ｂ内に閉塞蓋付勢部材６が予め挿入された中空軸部１６が、その長穴１６ａ，１６ａと錠胴体１１のボルト穴１１ｂ，１１ｃとが同軸心になるようにして挿入されているとともに、位置決めボルト７が、錠胴体１１の一方の軸穴１１ｂ、中空軸部１６の長穴１６ａ，１６ａ及び錠胴体１１の他方の軸穴１１ｃに挿通され、その先端部の雄ねじにはナット８が螺合され、当該位置決めボルト７が錠胴体１１に固定されている。
【００２１】
なお、この位置決めボルト７の挿入時において、当該位置決めボルト７を中空軸部１６の長穴１６ａ，１６ａに挿通する際には、錠胴体１１のガイド穴１１ａ及び中空軸部１６の中空穴１６ｂのそれぞれの下端開口から、挿入しようとする位置決めボルト７と干渉しない内幅でなる二股状工具の二股先端部により、付勢部材６の下端を上方へ押上げながら位置決めボルト７を挿入する。そして、閉塞部材５は、閉塞蓋付勢部材６により上方へ付勢されながら錠胴体１１のガイド穴１１ａ内で上下移動するとともに、中空軸部１６の長穴１６ａ，１６ａの下端面により閉塞部材５の上昇端が、長穴１６ａ，１６ａの上端面により閉塞部材５の下降端がそれぞれ規制される。
【００２２】
そして、閉塞部材５は、図２（ｂ）に示す閉塞蓋付勢部材６により上方へ付勢されるので、その閉塞蓋部１７の上向き傾斜面１７ａが、図５に示す鉄蓋３の下向き傾斜面３ｃに嵌合して、鉄蓋３の開口３ｂを閉塞する。なお、図５に示す閉塞蓋部１７の鍔１７ｂは、上向き傾斜面１７ａが鉄蓋３の下向き傾斜面３ｃに嵌合された状態では、当該鍔１７ｂの上面（符号は省略する）は鉄蓋３の開口縁部下面３ｄに当接しない。これに対して、閉塞蓋部１７の蓋上面１７ｃを閉塞蓋付勢部材６の付勢力に抗して下方へ押圧すると、図４に示すように、閉塞部材５の中空軸部１６が、錠胴体１１のガイド穴１１ａ内を下方へ摺動し、当該閉塞部材５は、図４に示す下端側へ下降する。
【００２３】
また、錠本体付勢部材９は、図２（ａ）又は図３に示すように、コイル部９ａ，９ｂが、錠本体４の揺動軸１３，１４に挿入され、下方のばね脚９ｆ，９ｇを連接する連接部９ｈが、図２（ｂ）に示す錠胴体１１の側面の鉤状突起１２と反対側の側面に当接され、上方のばね脚９ｃ，９が、鉄蓋３の開口縁部下面３ｄに当接されて（図６参照）、コイル部９ａ，９ｂの捩りばね力により錠本体４を受枠２の錠止突起２ａ側に付勢する。
【００２４】
次いで、上述したマンホール用鉄蓋の施錠装置１の使用方法を説明しながら作用効果を説明する。本実施の形態に係る施錠装置１が設置されるマンホールは、地下構造物の上端の地表部に図５に示す受枠２が設置され、この受枠２の内周に鉄蓋３が支持され、この鉄蓋３には、当該鉄蓋３を開閉するための図示しない蝶番機構を設けて受枠２に連結するとともに、当該鉄蓋３を受枠２に施錠するための施錠装置１が鉄蓋３の開口３ｂの下方に設置されている。これらのうち、受枠２の内周には開口２ｂが形成され、この開口２ｂに鉄蓋３の図９に示す外周３ａが嵌合されて、受枠２内へ石、砂、礫、雨水やその他の異物が入り込まないように封止されている。
【００２５】
前記鉄蓋３に設置される施錠装置１は、図２及び図３に示す組付け体として構成され、その揺動軸１３，１４が、図５又は図９に示す鉄蓋３の軸受部３ｆ，３ｇにそれぞれ挿入されることで、当該施錠装置１は鉄蓋３の軸受部３ｆ，３ｇにより揺動可能に支持される。この状態における施錠装置１は、閉塞部材５が、図５に示す付勢部材６により上方へ付勢されているので、閉塞蓋部１７の側面に形成されたテーパ状の上向き傾斜面１７ａが鉄蓋３のテーパ状の下向き傾斜面３ｃに当接するとともに、閉塞蓋部１７の上向き傾斜面１７ａと鉄蓋３の下向き傾斜面３ｃとの楔作用により、閉塞蓋部１７の上向き傾斜面１７ａと鉄蓋３の下向き傾斜面３ｃとは確実に嵌合した状態で閉塞される。
【００２６】
なお、これら揺動軸１３，１４が挿入される鉄蓋３の軸受部３ｆ，３ｇは、図５に示す開口３ｂの下方で、この開口を挟む図９に示す両側に揺動軸１３，１４を挿入可能な軸受部３ｆ，３ｇが対向して凹設されている。また、図示左側の軸受部３ｆには、逃し部３ｈが形成されるとともに、揺動軸１３の移動を阻止する止めボルト２１が着脱可能に設置されている。そして、揺動軸１３，１４の挿入は、予め止めボルト２１を除いておき、右方の揺動軸１４を軸受部３ｇ内に挿入するとともに、左方の揺動軸１３を逃し部３ｈから軸受部３ｆ内に挿入した後、止めボルト２１を逃し部３ｈに挿入してナット２２により締着する。この止めボルトの締着により、揺動軸１３は軸受部３ｆから脱出することはできない。
【００２７】
したがって、鉄蓋３の開口３ｂからは、石、砂、礫、雨水やその他の異物が入り込まないように封止されている。なお、閉塞蓋部１７の上向き傾斜面１７ａが嵌合される鉄蓋３の開口３ｂ及び下向き傾斜面３ｃの輪郭形状は、図１に示す閉塞蓋部１７に対応した形状であって、図５に示す左側が欠切された半小判形状の開口窓である。
【００２８】
また、この状態における施錠装置１は、閉塞部材５の中空軸部１６が図５に示すように、閉塞蓋部１７の鉛直線に対して図示の反時計方向へやや傾斜しているので、鉄蓋３の軸受部３ｆ，３ｇに揺動軸１３，１４により支持された施錠装置１は、当該施錠装置１の自重による傾斜分力により、受枠２の錠止突起２ａ側に付勢されている。
【００２９】
さらに、施錠装置１には、図９に示す錠本体付勢部材９のコイル部９ａ，９ｂが、錠本体４の揺動軸１３，１４に挿入され、連接部９ｈが、図５に示す錠胴体１１の側面の鉤状突起１２と反対側の側面に当接され、上方のばね脚９ｃ，９ｄが、鉄蓋３の開口縁部下面３ｄに当接されているので（図６参照）、コイル部９ａ，９ｂの捩りばね力により錠本体４を受枠２の錠止突起２ａ側に付勢している。したがって、図５に示す施錠装置１が解錠されていない状態において、受枠２から鉄蓋３を不当に開蓋しようとした場合には、鉄蓋３の鉤状突起１２が、受枠２の錠止突起２ａに掛合して鉄蓋３は開蓋できない構成になっている。
【００３０】
なお、鉄蓋３を開蓋するためには開蓋工具であるバール１９を用いるが、そのバール１９の下方正面は、図６に示す広幅の押圧面１９ａを有する突片（符号は省略する）が下端に設置され、その側面側の押圧面１９ａは図７に示すように、正面側よりも狭い幅に形成されている。また、図７に示す左側の背面には、背面１９ｅが形成され、連続する上方には傾斜面１９ｂが形成されている。また、上方には、鉄蓋３の開蓋又は閉蓋のために、バール１９を上下移動又は回動させるための図示しない操作ハンドルが、バール１９の基軸と十字状に交差するように突設されている。
【００３１】
そして、上記のように施錠された施錠装置１を解錠するには、図６に示す鉄蓋３の開口３ｂの図示左右の長手方向にバール１９の前記突片の広幅側を対応させ、当該開口３ｂの図示紙面の表裏の幅方向に前記突片の狭い幅側を対応させて挿入するとともに、閉塞蓋部１７の蓋上面１７ｃにバール１９の押圧面１９ａを当接させ、当該バール１９の前記操作ハンドルによりバール１９を下方へ押下げて施錠装置１を下方へ下降させる。この押下げ操作により、閉塞蓋部１７の上向き傾斜面１７ａは鉄蓋３の下向き傾斜面３ｃから離隔されて、鉄蓋３の開口３ｂは閉塞状態が解除される。
【００３２】
つぎにバール１９の押圧面１９ａは閉塞蓋部１７の蓋上面１７ｃに当接させたまま、バール１９の前記操作ハンドルの回動操作により、当該バール１９の向きを図６の状態から図７に示すように９０度転回させて、その傾斜面１９ｂ及び背面１９ｅを鉄蓋３の開口３ｂの図示左側と隣接する受枠２の開口２ｂに対向させる。つぎにバール１９の押圧面１９ａは閉塞蓋部１７の蓋上面１７ｃに当接させたまま、当該バール１９の押圧面１９ａを図示左側へスライドさせるとともに、図８に示すようにバール１９を下方へ押下げる。
【００３３】
このバール１９の押下げ操作により、閉塞蓋部１７の蓋上面１７ｃが当該バール１９の当接部１９ｃにより下方へ押圧され、施錠装置１は、その揺動軸１３，１４を中心にして、図示の反時計方向に錠本体付勢部材９の付勢力に抗して揺動される。なお、バール１９の図示左側へのスライド量は、図示よりもさらに受枠２の開口２ｂ側へ近づけることにより、施錠装置１の揺動操作が容易にできる。そして、この施錠装置１の反時計方向への揺動により、錠本体４の鉤状突起１２が、受枠２の錠止突起２ａの下方の掛合可能位置から離隔され、このまま施錠装置１とともに鉄蓋３を受枠２から引上げても、施錠装置１は、当該鉤状突起１２が受枠２の錠止突起２ａに掛合しない解錠状態となる。
【００３４】
つぎに図８に示す施錠装置１の解錠状態を維持しつつ、鉄蓋３の開口３ｂの図示左側と隣接する受枠２の開口上角２ｃにバール１９の傾斜面１９ｂを当接させた状態で、当該バール１９を引上げると、閉塞部材５は、閉塞蓋付勢部材６により上方へ付勢されているので、閉塞蓋部１７の蓋上面１７ｃがバール１９の当接部１９ｃに当接した状態で上昇する。なお、この操作に際して、バール１９の傾斜面１９ｂは、受枠２の開口上角２ｃに当接させなくともよいが、当接させることで操作性が安定する。
【００３５】
そして、引き続きバール１９を引上げると、やがて当該バール１９の開蓋当接面１９ｆと開蓋当接面１９ｇとが（図６参照）、鉄蓋３の図８に示す下向き傾斜面３ｃ周縁の開口縁部下面３ｄに当接し（図示手前側（紙面の表面側）に位置する開蓋当接面１９ｆが、下向き傾斜面３ｃ周縁の手前側の開口縁部下面３ｄに当接し、図示向い側（紙面の裏面側）に位置する開蓋当接面１９ｇが、下向き傾斜面３ｃ周縁の向い側の開口縁部下面３ｄに当接し）、さらにバール１９を引上げることで、当該バール１９の前記開蓋当接面１９ｆ，１９ｇにより、鉄蓋３は、受枠２に連結された図示しない蝶番機構を回動中心にして、当該鉄蓋３の開口３ｂ側が施錠装置１とともに枠体２から離隔して開蓋される。なお、鉄蓋３を枠体２に嵌合させる手順は、上記開蓋の手順のほぼ逆の手順により嵌合することできる。
【００３６】
上記のように構成されてなる施錠装置１は、閉塞部材５がガイドされるガイド穴１１ａは、上記鉤状突起１２の先端よりも上方位置から該鉤状突起１２の基端近傍位置に亘る長さとされてなることから、ガイド穴１１ａの有効長（上下移動の際に中空軸部１６が接するガイド穴１１ａの長さ）が長く構成できることで、錠本体４と閉塞部材５との間におけるがたつきを有効に解消することができ、ひいては、閉塞蓋部１７により確実に鉄蓋３の開口３ｂ及びテーパ状の下向き傾斜面３ｃを閉塞することができる。
【００３７】
すなわち、錠本体４と閉塞部材５とのがたつきが大きいと鉄蓋３の開口３ｂに閉塞蓋部１７が係合せず、確実な閉塞ができないことがある。また、この発明によれば、引用文献１に係る施錠構造を構成する傾斜面が必要とされない結果、バール１９で閉塞部材５を下方に押圧操作する際に、大きな抵抗が掛かることがなく、作業者の操作性をより高めることができる。
【００３８】
また、図５に示す閉塞部材５の閉塞蓋部１７は、鉄蓋３の開口部３ｂに形成された下向き傾斜面３ｃと嵌合可能な上向き傾斜面１７ａが側面に形成される構成したので、鉄蓋３の開口部と閉塞蓋部１７の側面とは、下向き傾斜面３ｃと上向き傾斜面１７ａとの楔作用により確実に嵌合されて閉塞される。したがって、鉄蓋３の開口部３ｂから、石、砂、礫、雨水やその他の異物が入り込まないように封止することができる。
【００３９】
また、図２に示す施錠装置１の揺動軸１３，１４には、当該施錠装置１を受枠２の錠止突起２ａ側に付勢する錠本体付勢部材９が掛止される構成にしたので、施錠装置１は、鉄蓋３が受枠２に嵌合されているときには施錠装置１自体の自重により、当該施錠装置１の鉤状突起１２が受枠２の錠止突起２ａ側に付勢されるが、錠本体付勢部材９により、鉤状突起１２が受枠２の錠止突起２ａ側に付勢されるので、鉤状突起１２は、受枠２の錠止突起２ａ側に確実に付勢される。
【００４０】
なお、本発明に係るマンホール用鉄蓋の施錠装置の実施の形態においては、錠本体４は、錠胴体１１、鉤状突起１２及び揺動軸１３，１４により、また、閉塞部材５は中空軸部１６及び閉塞蓋部１７により一体的に成型したが、これらの一部又は全部は分離可能なものであってもよい。
【図面の簡単な説明】
【００４１】
【図１】本発明の実施の形態に係るマンホール用鉄蓋の施錠装置の各構成要素を示す斜視図である。
【図２】鉄蓋の施錠装置の施錠時の形態を示す説明図であって、（ａ）は正面図、（ｂ）は（ａ）のＡ−Ａ矢視断面図である。
【図３】図２（ｂ）のＢ−Ｂ矢視断面図である。
【図４】鉄蓋の施錠装置の解錠時の形態を示す説明図であって、（ａ）は正面図、（ｂ）は（ａ）のＣ−Ｃ矢視断面図である。
【図５】鉄蓋に設置された施錠装置の施錠時の形態を示す説明図であって、縦断面図である。
【図６】鉄蓋に設置された施錠装置の解錠操作の初期における形態を示す説明図であって、縦断面図である。
【図７】鉄蓋に設置された施錠装置の解錠操作の途中における形態を示す説明図であって、縦断面図である。
【図８】鉄蓋に設置された施錠装置の解錠操作の解錠の形態を示す説明図であって、縦断面図である。
【図９】鉄蓋に設置された施錠装置の形態を示す説明図であって、図５のＤ矢視下面図である。
【符号の説明】
【００４２】
１  マンホール用鉄蓋の施錠装置
２  受枠
２ａ  錠止突起
３  鉄蓋
３ｂ  開口
３ｃ  下向き傾斜面
３ｆ，３ｇ  軸受部
４  錠本体
５  閉塞部材
６  閉塞蓋付勢部材
９  錠本体付勢部材
１１  錠胴体
１１ａ  ガイド穴
１１ｂ，１１ｃ  ボルト穴
１２  鉤状突起
１３，１４  揺動軸
１６  中空軸部
１６ａ  長穴
１６ｂ  中空穴
１７  閉塞蓋部
１７ａ  上向き傾斜面
１７ｃ  蓋上面
１９  バール
【図１】
2008101405.tif 000003
【図２】
2008101405.tif 000004
【図３】
2008101405.tif 000005
【図４】
2008101405.tif 000006
【図５】
2008101405.tif 000007
【図６】
2008101405.tif 000008
【図７】
2008101405.tif 000009
【図８】
2008101405.tif 000010
【図９】
2008101405.tif 000011